(57)【要約】【課題】フロートタンクを安全に取り外すことのできるオーガ式製氷機を提供する。【解決手段】フロートタンク１８内の製氷水の水位を検出するフロートスイッチ３０は、Ｌ字状の形状を有し内部に磁石３０ａ１を有するフロート部３０ａと、フロート部３０ａの磁石３０ａ１に励磁される２つのスイッチを有したスイッチ部３０ｂとを備えている。フロート部３０ａは、フロートタンク１８内部に形成されたＬ字状の空間１８ｇ内に設けられ、製氷水の水面に浮かぶことによって、製氷水の水位に対応して、空間１８ｇ内を上下方向に移動できるようになっている。スイッチ部３０ｂは、フロートタンク１８の側面１８ａと側面１８ｂとの接続部分に形成された欠損部１８ｆに、フロートタンク１８とは分離可能に取り付けられている。【選択図】図２
2006029626.tif 000002
【特許請求の範囲】
【請求項１】
製氷機構部と、
製氷水を貯留するフロートタンクと、
前記製氷水の水位を検出する水位検出手段と、
を備えた製氷機において、
前記水位検出手段は、
前記フロートタンクの内部に設けられ、前記製氷水の水位に対応して上下動可能な被検出部と、
前記フロートタンクの外部に前記フロートタンクとは分離可能に設けられ、前記被検出部の上下方向の位置を検出する検出部と
を備えたことを特徴とする製氷機。
【請求項２】
前記製氷機構部の運転を制御する制御装置と、
前記被検出部と前記検出部とが分離されたことを検出する分離検出手段と
を備え、
前記分離検出手段が、前記被検出部と前記検出部とが分離されたことを検出した場合に、前記制御装置は、前記フロートタンクが取り外されたと判断し、前記製氷機構部の運転を停止することを特徴とする請求項１に記載の製氷機。
【請求項３】
製氷機構部と、
製氷水を貯留するフロートタンクと、
前記製氷機構部の運転を制御する制御装置と
を備えた製氷機において、
前記フロートタンクを取り外したことを検出する脱着検出手段を備え、
前記脱着検出手段が、前記フロートタンクが取り外されたことを検出した場合に、前記制御装置が前記製氷機構部の運転を停止することを特徴とする製氷機。
【発明の詳細な説明】
【技術分野】
【０００１】
この発明は製氷機に係り、とくに、フロートタンク内の製氷水の水位を検出する水位検出手段の構造に関する。
【背景技術】
【０００２】
従来のオーガ式製氷機の全体構造を図８に示す（例えば、特許文献１参照）。このようなオーガ式製氷機１００は、外周面に冷却パイプ１０２が巻着された冷凍ケーシング１０１内に製氷水を供給して冷却し、螺旋刃１０３を有するオーガ１０４により、冷凍ケーシング１０１の内周面に氷結した氷層を掻き取り、要求される氷質に従って氷圧縮通路を有する押圧頭１０５の中に送り込み、例えば氷粒を連続的に生成する。
一方、冷凍ケーシング１０１内に供給される製氷水はフロートタンク１０６に貯留されており、製氷運転が行われて冷凍ケーシング１０１内面において氷となった分だけ供給管１０７を介して冷凍ケーシング１０１内に給水される。フロートタンク１０６内には、製氷水の上下限水位を検知するフロートスイッチ１０８が取り付けられ、フロートスイッチ１０８の検出値に基づいて、制御手段１０９が電磁給水弁１１０の開閉を調整することで、フロートタンク１０６内に製氷水が供給される。これにより、フロートタンク１０６内の製氷水の水位を一定に維持することができる。
【０００３】
【特許文献１】実公平３−３０７８５号公報
【発明の開示】
【発明が解決しようとする課題】
【０００４】
しかしながら、製氷水には水道水が使用されており、水の臭い等の問題で浄水器を取り付けることがあるが、浄水器によって水中の塩素分が取り除かれてフロートタンク１０６内にカビが発生したり、製氷水中のミネラル分が析出してフロートタンク１０６内に堆積することがあった。それにもかかわらず、フロートタンク１０６は製氷機内にあるため、ユーザーがフロートタンク１０６を外して洗浄することができないという問題点があった。
【０００５】
この発明は、このような問題点を解決するためになされたもので、フロートタンクを安全に取り外すことのできる製氷機を提供することを目的とする。
【課題を解決するための手段】
【０００６】
製氷機構部と、製氷水を貯留するフロートタンクと、製氷水の水位を検出する水位検出手段とを備えた製氷機において、水位検出手段は、フロートタンクの内部に設けられ、製氷水の水位に対応して上下動可能な被検出部と、フロートタンクの外部にフロートタンクとは分離可能に設けられ、被検出部の上下方向の位置を検出する検出部とを備えたことを特徴とする。
製氷機構部の運転を制御する制御装置と、被検出部と検出部とが分離されたことを検出する分離検出手段とを備え、分離検出手段が、被検出部と検出部とが分離されたことを検出した場合に、制御装置は、フロートタンクが取り外されたと判断し、製氷機構部の運転を停止するようにしてもよい。
製氷機構部と、製氷水を貯留するフロートタンクと、製氷機構部の運転を制御する制御装置とを備えた製氷機において、フロートタンクを取り外したことを検出する脱着検出手段を備え、脱着検出手段が、フロートタンクが取り外されたことを検出した場合に、制御装置が製氷機構部の運転を停止することを特徴とする。
【発明の効果】
【０００７】
この発明によれば、フロートタンク内の製氷水の水位を検出する水位検出手段をフロート部とスイッチ部とに分離し、フロート部のみをフロートタンク内部に設け、スイッチ部をフロートタンクの外部にフロートタンクとは分離可能に設けたので、スイッチ部を残したまま、フロートタンクを安全に取り外すことができる。これにより、ユーザーがフロートタンクを洗浄できるため、フロートタンクを清潔に維持することができる。
【発明を実施するための最良の形態】
【０００８】
以下、この発明の実施の形態を添付図面に基づいて説明する。
実施の形態１．
図１は、この実施の形態１に係るオーガ式製氷機１を示す図である。ステンレス等から形成された縦長の筒状部材である冷凍ケーシング２の外面には、管状の冷却パイプ３が巻装されている。冷却パイプ３は蒸発器を構成し、それぞれ図示しない圧縮機、膨張弁及び凝縮器と共に、冷凍回路を構成する。冷却パイプ３の外方には、冷却パイプ３及び冷凍ケーシング２を取り囲むように断熱材４が設けられている。冷凍ケーシング２の内部には、螺旋刃５を有するオーガ６が回転自在に設けられている。オーガ６は、その上部に形成された軸部６ａが軸受７によって回転自在に支持され、その下部に形成された軸部６ｂが軸受８によって回転自在に支持されている。更に、軸部６ｂの下端は、周知の継手９によって、ギヤードモータ（歯車付電動機）１０の出力軸１１に連結されている。ここで、冷凍ケーシング２、冷凍回路、オーガ６及びギヤードモータ１０は、製氷機構部を構成する。
冷凍ケーシング２上部の内側には、押圧頭１２が、ボルト等の適当な締結具１３によって取り付けられている。更に、冷凍ケーシング２上部には、押圧頭１２と冷凍ケーシング２内面とによって図示しない氷圧縮通路が形成されている。氷圧縮通路の出口には、氷圧縮通路を通過することによって圧縮された氷を、適当な大きさに切断するカッタ１４が設けられている。また、押圧頭１２の上方には、切断された氷を図示しない貯氷庫に搬送するための氷搬送通路１５が設けられている。
【０００９】
冷凍ケーシング２下部の供給口１６には、供給管１７の一端（下流端）が接続されている。供給管１７の他端（上流端）は、フロートタンク１８の底部に設けられた出口１９に接続されている。供給管１７の供給口１６近傍には、図１に概念的にブロックで示す制御装置２０によって供給管１７の管路を開閉する流路弁２１が設けられている。流路弁２１は、電磁的に駆動されるソレノイド弁のようなものでよい。
フロートタンク１８には蓋３１が設けられ、外部水道系と接続する給水管２２が、蓋３１を貫通・突出するようにフロートタンク１８に接続されている。給水管２２には、電磁給水弁２３が設けられている。さらに、フロートタンク１８には、フロートタンク１８内の製氷水の水位検出手段であるフロートスイッチ３０が取り付けられている。
【００１０】
図２に示されるように、フロートタンク１８は、４つの側面１８ａ、１８ｂ、１８ｃ、１８ｄ及び底面１８ｅを有しており、そのうちの１つの側面１８ａには、排水管ノズル３２とオーバーフローノズル３３がフロートタンク１８の内部に向かって貫通して設けられている。排水管ノズル３２のフロートタンク１８の外部側の端部は、図示しない排水管と連結し、フロートタンク１８内の製氷水を外部へ排水できるようになっている。フロートタンク１８の内部にあるオーバーフローノズル３３の周りには、コの字状のノズル囲い３４が設けられ、側面１８ａと共に、フロートタンク１８の内部にあるオーバーフローノズル３３を囲っている。オーバーフローノズル３３のフロートタンク１８の外部側の端部は、図示しないオーバーフローパイプに連結され、製氷水を排水するようになっている。
また、側面１８ａと側面１８ｂとの接続部分には、フロートスイッチ３０を取り付けるための欠損部１８ｆが形成されている。さらに、側面１８ｂ及び底面１８ｅの双方に垂直なフロート押さえ板３５が設けられ、ノズル囲い３４、欠損部１８ｆ、及びフロート押さえ板３５によってＬ字状の空間１８ｇが形成されている。
また、底面１８ｅには、出口１９に連通する出口穴１８ｈが設けられている。
【００１１】
フロートスイッチ３０は、被検出部であるフロート部３０ａと検出部であるスイッチ部３０ｂとを備えている。
図３に示されるように、フロート部３０ａは、Ｌ字状の形状を有し、内部に磁石３０ａ１を備えている。フロート部３０ａは、フロートタンク１８内部のＬ字状の空間１８ｇ（図２参照）内に設けられ、水面に浮かぶことによって、製氷水の水位に対応して、空間１８ｇ内を上下方向に移動することができるようになっている。尚、磁石３０ａ１はフロート部３０ａの内部に限定されるものではなく、フロート部３０ａの外表面に貼付してもよい。
一方、スイッチ部３０ｂは、フロートタンク１８外部の欠損部１８ｆ（図２参照）に、フロートタンク１８とは分離可能に設けられている。図４に示されるように、スイッチ部３０ｂは、平板部３０ｂ１と円柱部３０ｂ２とを備えており、断面が略Ｐ字状に形成されている。平板部３０ｂ１には、フロート部３０ａの磁石３０ａ１に励磁される２つのスイッチを備えており、１つは製氷水の水位の下限値に対応する位置に下限スイッチ３０ｂ３が、もう１つは製氷水の水位の上限値に対応する位置に上限スイッチ３０ｂ４が設けられている。ここで、下限とは、後述する動作に従ってフロートタンク１８内に製氷水の給水を開始する水位を意味し、上限とは、後述する動作に従ってフロートタンク１８内への製氷水の給水を停止する水位を意味する。
円柱部３０ｂ２の上端面からは、下限スイッチ３０ｂ３及び上限スイッチ３０ｂ４が励磁されたことを制御装置２０へ伝達するためのリード線３０ｂ５が、制御装置２０へ向かって延びている。
【００１２】
次に、この実施の形態１に係るオーガ式製氷機の動作を説明する。
図１に示されるように、オーガ式製氷機１を起動すると、最初はフロートタンク１８内の製氷水は空であるから、電磁給水弁２３が開弁し、製氷水が外部水道系から給水管２２を通ってフロートタンク１８内へ給水される。
図２に示されるように、フロートタンク１８内の製氷水の水位が徐々に上昇すると、それに対応してフロート部３０ａが空間１８ｇ内を上昇する。フロート部３０ａの磁石３０ａ１が、スイッチ部３０ｂの上限スイッチ３０ｂ４を励磁すると、リード線３０ｂ５を介して制御装置２０は、フロートタンク１８内の製氷水の水位が上限であると判断する。この場合、制御装置２０は、電磁給水弁２３を閉弁し、フロートタンク１８内への製氷水の給水を停止する。
【００１３】
ここで、外部水道系からの給水の勢いが強すぎ、電磁給水弁２３の閉弁のタイミングが遅くなってしまった場合には、フロートタンク１８内の製氷水の水位が上限を超えてしまうことがある。この時、ノズル囲い３４の高さより高い水位の製氷水は、ノズル囲い３４の内部に入り込み、オーバーフローノズル３３を介して、フロートタンク１８外部に排水される。このようにして、フロートタンク１８内の製氷水の水位を調整することができる。したがって、ノズル囲い３４の高さは、製氷水の水位の上限よりもやや高めに設定することが好ましい。
【００１４】
また、図１に示されるように、フロートタンク１８内への製氷水の給水が停止すると、制御装置２０は流路弁２１を開弁する。すると、フロートタンク１８内の製氷水は、出口１９及び供給管１７を通り、開弁している流路弁２１を通過して供給口１６より冷凍ケーシング２内に供給される。
冷凍ケーシング２内に供給された製氷水は、外周に巻装された冷却パイプ３によって熱を奪われ冷凍ケーシング２の内面に徐々に氷結していく。冷凍ケーシング２の内面に氷結した氷は、ギヤードモータ１０によって回転されているオーガ６の螺旋刃５によって冷凍ケーシング２の内面から掻き取られ、フレーク状の氷となって上方に送られる。このフレーク状の氷は、冷凍ケーシング２の内面及び押圧頭１２によって形成された図示しない氷圧縮通路を通過する際に、硬度の高い透明な氷質に圧縮される。圧縮された氷は、引き続き下方の冷凍ケーシング２から上方に送られ、氷圧縮通路内に入ってくる氷に押されて上方へと移動し、氷圧縮通路の出口に設けられたカッタ１４によって所望の大きさに切断される。切断された氷は、氷搬送通路１５を通って図示しない貯氷庫に案内され貯氷される。
【００１５】
製氷運転が継続すると、氷になった分だけ製氷水が冷凍ケーシング２に供給されるため、フロートタンク１８内の製氷水の水位が低下する。すると、図２に示されるように、空間１８ｇ内をフロート部３０ａが下方に移動する。フロート部３０ａの磁石３０ａ１が、図４に示されるスイッチ部３０ｂの下限スイッチ３０ｂ３を励磁すると、リード線３０ｂ５を介して制御装置２０は、フロートタンク１８内の製氷水の水位が下限であると判断する。この場合、制御装置２０は、電磁給水弁２３を開弁し、フロートタンク１８内へ製氷水を給水する。
このようにして、オーガ式製氷機１は、連続的に製氷運転を継続することができる。
【００１６】
一般的に、製氷水としては水道水が使用されている。水道水に混入している様々な不純物や添加物の影響で、製氷された氷に対して、臭い等の問題が発生する。そのため、製氷機に浄水器を取り付けることがあるが、この場合には、製氷水中の塩素分が除去されるため、フロートタンク１８内にカビが発生したり、製氷水中のミネラル分が析出してフロートタンク１８内に堆積することがある。したがって、定期的にフロートタンク１８を取り外して洗浄する必要がある。
そこで、フロートタンク１８をオーガ式製氷機１から取り外すために、製氷運転を停止し、排水管ノズル３２を介してフロートタンク１８内に残留している製氷水を排水する。その後、給水管２２と蓋３１との連結、オーバーフローノズル３３と図示しないオーバーフローパイプとの連結、図示しない排水管と排水管ノズル３２との連結、及び出口１９と供給管１７との連結を外す。
【００１７】
図８に示される従来のオーガ式製氷機では、フロートスイッチ１０８がフロートタンク１０６内に設けられているため、フロートタンク１０６を取り外すには、フロートスイッチ１０８を取り外す必要がある。しかし、フロートスイッチ１０８は、電気部品や高温部、あるいは回転部等に関連しているため、機械に熟知していない一般ユーザーが触れるのは危険である。
これに対し、実施の形態１に係るオーガ式製氷機では、フロートスイッチ３０がフロート部３０ａとスイッチ部３０ｂとに分離されており、フロート部３０ａはフロートタンク１８の内部に設けられているものの、電気部品や高温部、あるいは回転部等に関連しているスイッチ部３０ｂはフロートタンク１８の外部にフロートタンク１８とは分離可能に設けられている。したがって、スイッチ部３０ｂをオーガ式製氷機１に残したまま、フロートタンク１８を取り外すことができる。取り外されたフロートタンク１８はユーザーが洗浄でき、また、内部に設けられているフロート部３０ａも洗浄することができる。
【００１８】
このように、フロートスイッチ３０をフロート部３０ａとスイッチ部３０ｂとに分離し、フロート部３０ａのみをフロートタンク１８内部に設け、スイッチ部３０ｂをフロートタンク１８の外部にフロートタンク１８とは分離可能に設けたので、フロートタンク１８を安全に取り外すことができる。これにより、ユーザーがフロートタンク１８を洗浄できるため、フロートタンク１８を清潔に維持することができる。
【００１９】
実施の形態２．
次に、この発明の実施の形態２に係るオーガ式製氷機を説明する。尚、以下の実施の形態において、図１〜４の参照符号と同一の符号は、同一又は同様な構成要素であるので、その詳細な説明は省略する。
この実施の形態２に係るオーガ式製氷機は、実施の形態１に対して、フロートスイッチ３０に、フロートタンク１８とスイッチ部３０ｂとが近接していることを検知する近接スイッチを設け、フロートタンク１８とスイッチ部３０ｂとが分離したことを近接スイッチが検知した場合に、オーガ式製氷機１の製氷機構部の運転を停止するようにしたものである。
図５に示されるように、この実施の形態２に係るオーガ式製氷機１に用いられるフロートタンク１８には、欠損部１８ｆ下部であって、スイッチ部３０ｂの円柱部３０ｂ２と対向する位置に、磁石４１が設けられている。また、スイッチ部３０ｂの円柱部３０ｂ２の下部であって、スイッチ部３０ｂがフロートタンク１８の欠損部１８ｆに取り付けられた際に、磁石４１と対向する位置に、近接スイッチ４２が設けられている。ここで、磁石４１及び近接スイッチ４２は、分離検出手段を構成する。
【００２０】
フロートタンク１８がオーガ式製氷機１に取り付けられているときは、磁石４１が近接スイッチ４２を励磁する。これにより、フロートタンク１８がオーガ式製氷機１に取り付けられていることを、リード線３０ｂ５を介して、制御装置２０が検知する。一方、フロートタンク１８をオーガ式製氷機１から取り外すと、スイッチ部３０ｂがオーガ式製氷機１に残されるので、近接スイッチ４２は磁石４１に励磁されなくなる。これにより、フロートタンク１８がオーガ式製氷機１から取り外されたことを、リード線３０ｂ５を介して、制御装置２０が検知し、制御装置２０は製氷機構部の運転を停止する。
このように、脱着検出手段を設け、フロートタンク１８を取り外したときは確実に製氷機構部の運転を停止するようにしたので、ユーザーが製氷運転を停止するのを忘れてフロートタンク１８を取り外したとしても、フロートタンク１８へ製氷水が給水されることはなく、オーガ式製氷機１内に水が溢れてしまうことを防ぐことができる。
【００２１】
実施の形態３．
次に、この発明の実施の形態３に係るオーガ式製氷機を説明する。この実施の形態３に係るオーガ式製氷機は、実施の形態１に対して、オーガ式製氷機１を収容するキャビネットに開閉扉を備えた収容室を設け、この収容室内にフロートタンク１８を固定して収容し、フロートタンク１８の固定を解除したことを検出する脱着スイッチを設けて、フロートタンク１８の固定が解除されたことを脱着スイッチが検出した場合に、オーガ式製氷機１の製氷機構部の運転を停止するようにしたものである。
図６に示されるように、オーガ式製氷機１は図示しないが、キャビネット５０内に収容されている。キャビネット５０の左側上方には、直方体の空間を有した収容室５１が形成されている。収容室５１は開閉扉５２を備え、開閉扉５２を閉めることによって、収容室５１内の空間を外部から遮断するようになっている。
収容室５１内には、フロートタンク１８及びフロートスイッチ３０が固定して収容されている。収容室５１の奥面５３には、図示しない排水管及びオーバーフローパイプが貫通しており、それぞれ排水管ノズル３２及びオーバーフローノズル３３に連結されている。また、収容室５１の底面５４には図示しない貫通穴が設けられ、この貫通穴にフロートタンク１８の出口１９（図１参照）が挿入され、出口１９に供給管１７（図１参照）が連結している。
【００２２】
図７（ａ）及び（ｂ）は、収容室５１を、図６に記載した矢印Ｙの方向から見た図である。フロートタンク１８下部には、取付穴６２が形成された取付部６１が設けられ、取付ボルト６３を取付穴６２に挿入し、さらに収容室５１の奥面５３に形成された取付穴５５に取付ボルト６３を挿入することによって、フロートタンク１８が奥面５３に固定されている。
奥面５３に対してフロートタンク１８とは反対側に、フロートタンク１８が奥面５３に固定されているか否かを検出するための脱着検出手段である脱着スイッチ６４が設けられている。脱着スイッチ６４は検知部６４ａと脱着レバー６４ｂとを備えている。脱着レバー６４ｂはその下端において検知部６４ａとある角度をなして接続されており、この接続部分を支点に回動することによって脱着レバー６４ｂの全面が検知部６４ａに接することができるようになっている（図７（ｂ）参照）。
検知部６４ａは、制御装置２０と電気的に接続される内部スイッチ６４ｃを備えている。内部スイッチ６４ｃは、脱着レバー６４ｂが回動して脱着レバー６４ｂの全面が検知部６４ａに接する状態になると、接点が離れてオフとなり（図７（ｂ）参照）、脱着レバー６４ｂの全面が検知部６４ａに接していない状態になると、接点が接してオンとなる（図７（ａ）参照）。内部スイッチ６４ｃがオンとなって脱着スイッチ６４が作動すると、制御装置２０に電気信号が伝達され、これにより制御装置２０は製氷機構部の運転を停止するようになっている。
【００２３】
図７（ａ）に示されるように、取付ボルト６３によってフロートタンク１８が奥面５３に固定されているときは、取付ボルト６３の奥面５３から突出した部分によって脱着レバー６４ｂが回動され、脱着レバー６４ｂの全面が検知部６４ａに接する状態になっているため、脱着スイッチ６４は作動せず、製氷機構部の運転は継続される。
一方、フロートタンク１８を取り外すためには、通常は、製氷運転を停止してからキャビネット５０の開閉扉５２を開けて、収容室５１内の奥面５３に固定されているフロートタンク１８の固定を解除するために、取付ボルト６３を取り外す。ここで、仮に製氷運転を停止するのを忘れても、取付ボルト６３を引き抜くことにより、脱着レバー６４ｂが図７（ｂ）で示されるような状態になり、脱着スイッチ６４が作動するため、製氷機構部の運転は停止される。
このように、脱着スイッチ６４を設け、フロートタンク１８の固定を解除するために取付ボルト６３を引き抜いたとき、脱着スイッチ６４が作動して確実に製氷機構部の運転を停止するようにしたので、ユーザーが製氷運転を停止するのを忘れてフロートタンク１８を取り外したとしても、フロートタンク１８へ製氷水が給水されることはなくなり、オーガ式製氷機１内に水が溢れてしまうことを防ぐことができる。
【００２４】
実施の形態１〜３においては、オーガ式製氷機について説明を行ったが、オーガ式製氷機に限定されるものではない。製氷水を貯留するフロートタンクを備え、製氷水の水位を検知することによってフロートタンクへの製氷水の供給を制御するものであれば、その他の形式の製氷機、例えばセル式製氷機であってもよい。
フロートスイッチ３０については、被検知手段として磁石３０ａ１を有するフロート部３０ａを用い、検知手段として磁石３０ａ１に励磁される下限スイッチ３０ｂ３及び上限スイッチ３０ｂ４を有するスイッチ部３０ｂを用いたが、これに限定されるものではない。磁石のかわりに光を発する発光部材を有するフロート部を被検知手段として用い、検知手段としてこの光を検出する光センサを有するスイッチ部を用いてもよい。
【００２５】
実施の形態２及び３において、制御装置２０が製氷機構部の運転を停止すると説明したが、製氷機構部の停止については、冷凍回路の圧縮機を停止してもよいし、ギヤードモータ１０を停止してオーガ６の運転を停止するようにしてもよい。また、冷凍回路及びギヤードモータ１０の運転を両方とも停止するようにしてもよい。
【図面の簡単な説明】
【００２６】
【図１】この発明の実施の形態１にかかるオーガ式製氷機の全体図である。
【図２】実施の形態１に係るオーガ式製氷機に取り付けられているフロートタンクの斜視図である。
【図３】実施の形態１に係るオーガ式製氷機に取り付けられているフローとスイッチを構成するフロート部の全体図である。
【図４】実施の形態１に係るオーガ式製氷機に取り付けられているフローとスイッチを構成するスイッチ部の全体図である。
【図５】実施の形態２に係るオーガ式製氷機に取り付けられているフロートタンク及びフロートスイッチの全体図である。
【図６】実施の形態３に係るオーガ式製氷機の全体図である。
【図７】図６のＹ方向から収容室の内部を見た側面断面図である。
【図８】従来のオーガ式製氷機の全体図である。
【符号の説明】
【００２７】
１  オーガ式製氷機、２  冷凍ケーシング（製氷機構部）、３  冷却パイプ（製氷機構部）、６  オーガ（製氷機構部）、１０  ギヤードモータ（製氷機構部）、１８  フロートタンク、２０  制御装置、３０  フロートスイッチ（水位検出手段）、３０ａ  フロート部（被検出部）、３０ｂ  スイッチ部（検出部）、４１  磁石（分離検出手段）、４２  近接スイッチ（分離検出手段）、６４  脱着スイッチ（脱着検出手段）。
【図１】
2006029626.tif 000003
【図２】
2006029626.tif 000004
【図３】
2006029626.tif 000005
【図４】
2006029626.tif 000006
【図５】
2006029626.tif 000007
【図６】
2006029626.tif 000008
【図７】
2006029626.tif 000009
【図８】
2006029626.tif 000010